(57)【要約】      （修正有）【課題】設置が簡便で有りまた単純な構成により安価で確実な作動が可能な動物用罠装置を提供する。【解決手段】踏み板は、中央踏み板片１０Ａ、右側踏み板片１０Ｂ及び左側踏み板片１０Ｃからなり、ヒンジにより踏み板表面の境目を支点としてそれぞれ上下に回動可能に接続されている。中央踏み板片１０Ａの裏側には、踏み板姿勢保持板１２が配置されており、左右の踏み板裏面まで延出されていて、左右の踏み板１０Ｂ、１０Ｃの過度の回動を防止し、踏み板相互をほぼ水平に保持している。また、これらの踏み板裏面は、相互に付勢バネ１１により連結されており、表面側から応力が印加された場合にある程度その応力に抵抗するように構成されている。中央踏み板片１０Ａの両側面には、凸状部が互いに外向きになるよう一対のＵ字状ワイヤ保持枠２０がＵ字状ワイヤ保持枠固定ピンにより回動自在に接続されている。【選択図】図２
0003192942.tif 000002
【実用新案登録請求の範囲】
【請求項１】
３枚の踏み板片からなり隣同士の踏み板片がバネとヒンジにより互いに回動可能に付勢接続された踏み板と、前記踏み板のうち中央踏み板片の外周前後両側においてワイヤ保持枠支持ピンにより前記踏み板表面に対し垂直方向に回動自在となるよう対向配置され、さらに保持枠外周部において捕獲ワイヤを保持できるよう構成された一対のＵ字状ワイヤ保持枠と、前記踏み板を一定した高さに保持しかつ前記踏み板の動作を妨害しないように係合する手段を備えた枠体とからなることを特徴とする動物用罠装置。
【請求項２】
前記踏み板は中央踏み板片及び左右の踏み板片からなり、前記中央踏み板片が下方に降下可能に接続されていて、常時ほぼ水平姿勢になるよう付勢されていることを特徴とする請求項１記載の動物用罠装置。
【請求項３】
前記中央踏み板片の裏側には踏み板姿勢保持板が左右の踏み板片方向に突出して配置されていることを特徴とする請求項２記載の動物用罠装置。
【請求項４】
前記一対のＵ字状ワイヤ保持枠は、仕掛け時に水平よりもやや下向きになるよう保持されていることを特徴とする請求項１乃至３のいずれかに記載の動物用罠装置。
【請求項５】
前記一対のＵ字状ワイヤ保持枠の外周部に凹部が設けられていることを特徴とする請求項１乃至４のいずれかに記載の動物用罠装置。
【請求項６】
前記左右の踏み板片にはそれぞれ外側に向かって受け板が配置されており、前記枠体を貫通して外側に延出され、前記Ｕ字状ワイヤ保持枠と接触保持できるよう構成されていることを特徴とする請求項１乃至５のいずれかに記載の動物用罠装置。
【請求項７】
前記受け板には前記Ｕ字状ワイヤ保持枠の動作を規制するためのストッパーが備えられていることを特徴とする請求項６記載の動物用罠装置。
【考案の詳細な説明】
【技術分野】
【０００１】  本考案は、猪、鹿等の有害野生動物を捕獲するための罠装置に関する。
【背景技術】
【０００２】  従来から、猪や鹿等の有害野生動物を捕獲するための罠として、踏み板の反動によるワイヤ発射タイプの装置が提案されている。【０００３】  例えば、特許文献１には、踏み板の上面に半円弧状の作動体を互いに対向させて載置し、各作動体の回動端部を枠体の受け桟に載置し、縮小方向に付勢されたループを有するワイヤを各作動体の外周に懸回してリング状に保形した野生動物用罠が開示されている。しかし、この装置では作動体の支点と受け桟との距離が大きいため、踏み板の降下距離が長くならないと作動しにくいという問題点がある。【０００４】  また、特許文献２には、踏み板と半枠状に構成された１対の作動部材と、この作動部材を指示する枠体と、付勢手段によりループ状に保持された捕獲ワイヤとからなる動物捕獲用罠が開示されている。この装置では、枠体に切り欠き縁を設け、この切り欠き縁により作動部材の回動を発生させるため、作動部材の初動速度を向上し確実に動物を捕獲できるとされる。しかしながら、この装置においては、踏み板と作動部材は一体であるが枠体は分離されているため、ワイヤを設置する際に特別な安全装置を取り付けた上で行わなければならない。【０００５】  さらに、特許文献３では、本体台座の内側壁面に跳ね上げストッパーを装着した踏み板を構成する中軸を設け、本体台座に設けた中軸の両端部に装着した跳ね上げスプリングと接合したＵ字アームを本体台座の外側壁面に装着した猪捕獲補助器具が開示されている。しかしながらこの装置では、地面に凹部を形成して設置しなければならないため、表面が柔らかいところではうまく作動ができない可能性がある。また、跳ね上げストッパーの構成が詳しく記述されていないため、羽根部の保持と作動時の解放の応力配分が困難であるという問題点がある。
【特許文献】
【０００６】
【特許文献１】実用新案登録第３１２７８３２号公報
【特許文献２】実用新案登録第３１５４１９５号公報
【特許文献３】実用新案登録第３１６０１５０号公報
【考案の開示】
【考案が解決しようとする課題】
【０００７】  本考案は上記従来技術の問題点に鑑みてなされたものであり、設置が簡便で有りまた単純な構成により安価で確実な作動が可能な動物用罠装置を提供することを課題とする。
【課題を解決するための手段】
【０００８】  上記課題を解決するため本考案による動物用罠装置は、３枚の踏み板片からなり隣同士の踏み板片がバネとヒンジにより互いに回動可能に付勢接続された踏み板と、前記踏み板のうち中央踏み板片の外周前後両側においてワイヤ保持枠支持ピンにより前記踏み板表面に対し垂直方向に回動自在となるよう対向配置され、さらに保持枠外周部において捕獲ワイヤを保持できるよう構成された一対のＵ字状ワイヤ保持枠と、前記踏み板を一定した高さに保持しかつ前記踏み板の動作を妨害しないように係合する手段を備えた枠体とからなることを特徴とする。【０００９】  前記踏み板は中央踏み板片及び左右の踏み板片からなり、前記中央踏み板片が下方に降下可能に接続されていて、常時ほぼ水平姿勢になるよう付勢されていることが好適である。【００１０】  また、前記中央踏み板片の裏側には踏み板姿勢保持板が左右の踏み板片方向に突出して配置されている構成を採用することもできる。【００１１】  前記一対のＵ字状ワイヤ保持枠は、仕掛け時に水平よりもやや下向きになるよう保持されていることが望ましい。【００１２】  また、前記一対のＵ字状ワイヤ保持枠の外周部に凹部が設けられていることが好適である。【００１３】  さらに、前記左右の踏み板片にはそれぞれ外側に向かって受け板が配置されており、前記枠体を貫通して外側に延出され、前記Ｕ字状ワイヤ保持枠と接触保持できるよう構成されていることも好適である。前記受け板には前記Ｕ字状ワイヤ保持枠の動作を規制するためのストッパーが備えられていることも特徴である。
【考案の効果】
【００１４】  本考案による動物用罠装置は、踏み板が３分割されて互いに回動可能に付勢接続されているため、動物が踏み板を踏んだ際にどの場所を踏んでも容易に踏み板が降下するため、捕獲ワイヤの発射が確実になる。また、設置のための準備がほとんど必要なく、簡便に使用することができる。さらに、Ｕ字状ワイヤ保持枠と踏み板とが一体となるよう構成されているため持ち運びや操作が容易である。
【考案を実施するための最良の形態】
【実施例】
【００１５】  以下、図面に基づいて本考案の好適な実施例について説明する。図７に踏み板集合体１０の平面図を示し、裏面図を図８に示す。踏み板はカムフラージュのため表面にシート１６を貼ってあるため上側からは見えないが、図８で明らかなように中央踏み板片１０Ａ、右側踏み板片１０Ｂ及び左側踏み板片１０Ｃからなり、図示してないがヒンジにより踏み板表面の境目を支点としてそれぞれ上下に回動可能に接続されている。中央踏み板片１０Ａの裏側には、踏み板姿勢保持板１２が配置されており、左右の踏み板裏面まで延出されていて、左右の踏み板１０Ｂ、１０Ｃの過度の回動を防止し、踏み板相互をほぼ水平に保持している。また、これらの踏み板裏面は、相互に付勢バネ１１により連結されており、表面側から応力が印加された場合にある程度その応力に抵抗するように構成されている。【００１６】  中央踏み板片１０Ａの両側面には、凸状部２３が互いに外向きになるよう一対のＵ字状ワイヤ保持枠２０がＵ字状ワイヤ保持枠固定ピン２１により回動自在に接続されている。Ｕ字状ワイヤ保持枠２０のＵ字状ワイヤ保持枠固定ピン２１近傍では凹曲部２２が形成されており、Ｕ字状ワイヤ保持枠２０の回動により捕獲ワイヤが発射された際に、Ｕ字状ワイヤ保持枠固定ピン２１が動作の邪魔にならないためにＵ字状ワイヤ保持枠固定ピン２１を内側に避難させてある。【００１７】  左右の踏み板１０Ｂ、１０Ｃの外側端部からは受け板１３が、Ｕ字状ワイヤ保持枠２０の回動軌道を遮る地点までそれぞれ外側に向けて延出されている。以上述べたように、３枚の踏み板片１０Ａ、１０Ｂ、１０Ｃ、踏み板姿勢保持板１２、付勢バネ１１、Ｕ字状ワイヤ保持枠２０、Ｕ字状ワイヤ保持枠固定ピン２１及び受け板１３により、踏み板集合体１０が形成される。【００１８】  枠体１の正面斜視図は図５に示し、側面からの斜視図を図６に示した。枠体１は３枚の踏み板片１０Ａ、１０Ｂ、１０Ｃをその内側に収納できる大きさに形成されており、左右に２箇所ずつＵ字状ワイヤ保持枠用切り欠き部４が配置されている。また、Ｕ字状ワイヤ保持枠用切り欠き部４と同じ面に踏み板姿勢保持板貫通穴６が形成されており、踏み板姿勢保持板１２を両側の踏み板姿勢保持板貫通穴６に挿入することにより踏み板集合体が枠体１の下面から一定高さに保持される。このとき、Ｕ字状ワイヤ保持枠２０を両側に開くと、Ｕ字状ワイヤ保持枠２０の下面がそれぞれの受け板１３及びそれぞれのＵ字状ワイヤ保持枠用切り欠き部４と接触することになる。受け板１３には、ストッパー回動軸１５を支点として回動可能にストッパー１４が配置されており、回動させることによりＵ字状ワイヤ保持粋２０の上側に嵌着してＵ字状ワイヤ保持粋２０の回動を規制することができる。【００１９】  枠体１にはまた、正面側に捕獲ワイヤ用切り欠き部２と捕獲ワイヤストッパー用切り欠き部３が形成されており、背面内側には踏み板集合体１０方向にワイヤ跳ね上げピン５が２本突出していて、Ｕ字状ワイヤ保持枠２０の下面に接触している。【００２０】  図１に本考案による罠装置の一実施例の平面図を示す。また、この実施例の底面図を図２に示す。図７に示した踏み板集合体１０と図５に示した枠体１とを組み立てるとこのような状態となる。【００２１】  図３は図１に示した実施例の正面図である。踏み板集合体１０は枠体１の上面とほぼ同じ高さになるよう保持されており、一対のＵ字状ワイヤ保持枠２０は、左右に開いた状態では互いの角度が１８０度を超える（Ｕ字状ワイヤ保特粋２０がＡ−Ａ’線より下側になる）よう構成されている。この構成により、捕獲ワイヤをセットした際に誤作動を防止して捕獲ワイヤの安定性を確保することができる。図３のＵ字状ワイヤ保持枠２０を少し上げた状態を図４と図９に示す。Ｕ字状ワイヤ保持枠２０それぞれの外周部には、捕獲ワイヤの保持を容易にするために、溝部２４を形成することが望ましい。【００２２】  上記実施例の使用状況について説明する。図１に示した状態の本考案実施例を地面に置く。Ｕ字状ワイヤ保持枠２０の周囲に沿ってループ状捕獲ワイヤ（図示してない、市販のものが利用できる）を巡らし、ループの径が縮小する方向に付勢して保持しておく。この捕獲ワイヤの例としては、例えば特許文献２の図４に示されている。【００２３】  この状態ではストッパー１４がＵ字状ワイヤ保持枠２０の回動を規制しているため、罠装置を動作可能状態にするためにはストッパー１４を回動させ、Ｕ字状ワイヤ保持枠２０から外すことが必要である。ストッパー１４を外しても、図３に示したようにＵ字状ワイヤ保持枠２０同士の角度は１８０度を超えて配置されているため、捕獲ワイヤからの応力は図３における下向き方向にかかるため、Ｕ字状ワイヤ保持枠２０が誤って上に跳ね上げられることはない。【００２４】  上記実施例の罠装置の動作について説明すると、３枚の踏み板片１０Ａ、１０Ｂ、１０Ｃのいずれかの部分を踏んだ際に、中央踏み板片１０Ａが中心となって下方に沈み込む。この際、受け板１３は踏み板姿勢保持板貫通穴６内で枠体１の内側方向に移動し、踏み板片１０Ｂ、１０Ｃの作動を妨害しない。中央踏み板片１０Ａが沈み込むとＵ字状ワイヤ保持枠固定ピン２１も同時に下方に移動するが、Ｕ字状ワイヤ保持枠２０の外側部はＵ字状ワイヤ保持枠用切り欠き部４により支持されているため下方に移動することはない。また、回動の支点となるＵ字状ワイヤ保持枠固定ピン２１により近い位置にワイヤ跳ね上げピン５配置されているため、中央踏み板片１０Ａが沈み込むとこのピン５に接触しているＵ字状ワイヤ保持枠２０は上方へと回動を助長される。Ｕ字状ワイヤ保持枠２０同士の角度が１８０度未満になると、捕獲ワイヤの縮小応力により回動が促進され、捕獲ワイヤはＵ字状ワイヤ保持粋２０から離れて上方へ発射され、動物の足に絡まることになる。Ｕ字状ワイヤ保持枠２０が回動すると、図９に示した状態となる。【００２５】  ワイヤ跳ね上げピン５が配置されているため、中央踏み板片１０Ａが地面、すなわち枠体１の下面に接触する前にＵ字状ワイヤ保持枠２０が回動し、捕獲ワイヤが発射されることになる。従って、本考案の罠装置では設置する際に地面に穴等を掘る必要がなく、置くだけで準備できるので有用である。【００２６】  以上、本考案の好適な実施例について述べたが、本考案の精神を逸脱しない範囲において多くの改変ができることは言うまでもない。
【産業上の利用可能性】
【００２７】  以上説明したように、本考案による動物用罠装置は踏み板が３分割されて互いに回動可能に付勢接続されているため、動物が踏み板を踏んだ際にどの場所を踏んでも容易に踏み板が降下するため、捕獲ワイヤの発射が確実になる。また、設置のための準備がほとんど必要なく、簡便に使用することができる。さらに、Ｕ字状ワイヤ保持枠と踏み板とが一体となるよう構成されているため持ち運びや操作が容易である。従って、有害動物捕獲に極めて有用である。
【図面の簡単な説明】
【００２８】
【図１】本考案の実施例を示す斜視図である。
【図２】図１に示した実施例の裏面図である。
【図３】図１に示した実施例の正面図である。
【図４】図１に示した実施例において、Ｕ字状ワイヤ保持枠が作動した状態を示す図である。
【図５】図１に示した実施例の枠体を示す正面斜視図である。
【図６】図１に示した実施例の枠体を示す側面斜視図である。
【図７】図１に示した実施例の踏み板集合体を示す平面図である。
【図８】図１に示した実施例の踏み板集合体を示す裏面図である。
【図９】図７に示した踏み板集合体において、Ｕ字状ワイヤ保持枠が作動した状態を示す図である。
【符号の説明】
【００２９】１            枠体
２            捕獲ワイヤ用切り欠き部
３            捕獲ワイヤストッパー用切り欠き部
４            Ｕ字状ワイヤ保持枠用切り欠き部
５            ワイヤ跳ね上げピン
６            踏み板姿勢保持板貫通穴
１０          踏み板集合体
１０Ａ        中央踏み板片
１０Ｂ        右側踏み板片
１０Ｃ        左側踏み板片
１１          付勢バネ
１２          踏み板姿勢保持板
１３          受け板
１４          ストッパー
１５          ストッパー回動軸
１６          シート
２０          Ｕ字状ワイヤ保持粋
２１          Ｕ字状ワイヤ保持枠固定ピン
２２          凹曲部
２３          凸状部
２４          溝部
【図１】
0003192942.tif 000003
【図２】
0003192942.tif 000004
【図３】
0003192942.tif 000005
【図４】
0003192942.tif 000006
【図５】
0003192942.tif 000007
【図６】
0003192942.tif 000008
【図７】
0003192942.tif 000009
【図８】
0003192942.tif 000010
【図９】
0003192942.tif 000011